(57)【要約】【課題】使用者に煩雑な作業を強いることなく、結露に起因する不具合（例えば、木製建材の腐食及びカビの発生）を解消できる結露水吸収構造体を提供する。【解決手段】本発明に係る結露水吸収構造体は、結露によって窓の表面に生じた水が流れ落ちる箇所に設置されるものであって、複数の珪藻土タイルと、横方向に延びる溝部を構成し、溝部に並ぶように配置される複数の珪藻土タイルを支持する支持部材とを備え、複数の珪藻土タイルが溝部に対して着脱自在であり、複数の珪藻土タイルが、第１の幅を有する第１のタイル群と、第２の幅を有する第２のタイル群とを含み、第１の幅と第２の幅が互いに異なる。【選択図】図１
2020190195.tif 000002
【特許請求の範囲】
【請求項１】
結露によって窓の表面に生じた水が流れ落ちる箇所に設置される結露水吸収構造体であって、
複数の珪藻土タイルと、
横方向に延びる溝部を構成し、前記溝部に並ぶように配置される前記複数の珪藻土タイルを支持する支持部材と、
を備え、
前記複数の珪藻土タイルが前記溝部に対して着脱自在であり、
前記複数の珪藻土タイルが、第１の幅を有する第１のタイル群と、第２の幅を有する第２のタイル群とを含み、前記第１の幅と前記第２の幅が互いに異なる、結露水吸収構造体。
【請求項２】
前記支持部材は前記珪藻土タイルの下部を支持する、請求項１に記載の結露水吸収構造体。
【請求項３】
前記珪藻土タイルの厚さと、前記支持部材における前記珪藻土タイルを接する箇所の厚さの合計が１０ｍｍ未満である、請求項１又は２に記載の結露水吸収構造体。
【請求項４】
前記複数の珪藻土タイルの幅の合計が前記溝部の長さよりも短い、請求項１〜３のいずれか一項に記載の結露水吸収構造体。
【請求項５】
前記溝部の両端が開放されている、請求項１〜４のいずれか一項に記載の結露水吸収構造体。
【請求項６】
前記溝部が複数の前記支持部材によって構成される、請求項１〜５のいずれか一項に記載の結露水吸収構造体。
【請求項７】
前記支持部材が鋏で切断可能な材料からなる、請求項１〜６のいずれか一項に記載の結露水吸収構造体。
【請求項８】
前記支持部材が、窓の表面に固定される第１の面と、前記珪藻土タイルの底面と対面する第２の面と、前記珪藻土タイルの表面と対面する第３の面とを有する、請求項１〜７のいずれか一項に記載の結露水吸収構造体。
【請求項９】
請求項１〜８のいずれか一項に記載の結露水吸収構造体用のキットであり、
前記複数の珪藻土タイルと、
前記支持部材と、
前記複数の珪藻土タイル及び前記支持部材を収容する包装材と、
を備える、キット。
【発明の詳細な説明】
【技術分野】
【０００１】
本発明は結露水吸収構造体及びこれ用のキットに関する。
【背景技術】
【０００２】
結露は、低温の物体の表面に空気が接触することで、空気中の水蒸気が凝結してその表面に水滴が付着する現象をいい、特に表面結露と称されることもある。結露は冬の窓ガラスで生じることがよく知られている。結露によって生じる水（以下、結露水という。）は、木製建材の腐食及びカビの発生等の原因となるため、結露自体を抑制する技術及び結露水を吸収除去する技術について種々の検討がなされてきた（例えば、特許文献１，２参照）。
【先行技術文献】
【特許文献】
【０００３】
【特許文献１】特開２０１７−０１９２７６号公報
【特許文献２】特開２００４−２２３８６９号公報
【発明の概要】
【発明が解決しようとする課題】
【０００４】
しかし、結露対策に係る従来技術は必ずしも結露を十分に抑制できず、また、結露水を吸収するための材料の機能を回復させる作業（例えば、結露水を吸収した不織布を絞る作業）が煩雑であるなどの点で改善の余地があった。
【０００５】
本発明は、使用者に煩雑な作業を強いることなく、結露に起因する不具合（例えば、木製建材の腐食及びカビの発生）を解消できる結露水吸収構造体及びこれ用のキットを提供することを目的とする。
【課題を解決するための手段】
【０００６】
本発明に係る結露水吸収構造体は、結露によって窓の表面に生じた水が流れ落ちる箇所に設置されるものであって、複数の珪藻土タイルと、横方向に延びる溝部を窓の表面とともに構成し、溝部に並ぶように配置される複数の珪藻土タイルを支持する支持部材とを備え、複数の珪藻土タイルが溝部に対して着脱自在である。
【０００７】
本発明によれば、吸水材料として複数の珪藻土タイルを採用したことで、夜間に生じる結露水が珪藻土タイルに吸収され、結露水に起因する不具合を十分に抑制できる。水を吸収した珪藻土タイルは、湿度が低い環境下において水を自発的に放出する。湿度が低い昼間に珪藻土タイルが水を自発的に放出するため、使用者が特別な処理を施さなくても夜間に再び十分な量の結露水を吸収できる状態となる。なお、吸水性に優れる珪藻土タイルが窓とカーテンとの間の空間に存在することで、この空間の湿度が低下し、結露の発生自体も抑制できると考えられる。夜間に水又は湿気を効率的に吸収するとともに昼間に水を効率的に放出する観点から、珪藻土タイルは支持部材に支持された状態において十分に露出していることが好ましい。例えば、支持部材は珪藻土タイルの下部を支持しており、上部が露出していることが好ましい。
【０００８】
上記支持部材は、横方向に延びる溝部を窓の表面とともに構成しており、溝部に並ぶように複数の珪藻土タイルが配置される。この溝部が樋の役割を果たし、これよりも下に結露水が流れ落ちることを防止する。かかる構成によれば、例えば、結露水が必ずしも珪藻土タイルに直接流れ落ちなくても、換言すれば、窓の横方向に隙間なく複数の珪藻土タイルを配置しなくても、溝部でせき止められた結露水は溝部を通じて珪藻土タイルに至って吸収される。したがって、複数の珪藻土タイルの幅の合計は溝部の長さよりも短くてもよい。つまり、隣接する二つの珪藻土タイルの間に隙間があってもよい。
【０００９】
複数の珪藻土タイルは溝部に対して着脱自在である。これにより、珪藻土タイルの洗浄又は交換を必要に応じて容易に実施できる。また、結露が発生する季節が終了したら、珪藻土タイルを容易に回収することができる。なお、回収した珪藻土タイルに対して洗浄及び乾燥の処置を施した後、再度必要な時期まで保管しておけばよい。
【００１０】
本発明に係る結露水吸収構造体を引き違い窓に適用する観点から、藻土タイルの厚さと、支持部材における珪藻土タイルを接する箇所の厚さの合計は１０ｍｍ未満であることが好ましい。支持部材の具体的な構成として、窓の表面に固定される第１の面と、珪藻土タイルの底面と対面する第２の面と、珪藻土タイルの表面と対面する第３の面とを有する構成が挙げられる（図２参照）。
【００１１】
本発明は、結露水吸収構造体用のキットを提供する。すなわち、本発明に係る結露水吸収構造体用のキットは、複数の珪藻土タイルと、支持部材と、複数の珪藻土タイル及び支持部材を収容する包装材とを備える。このキットは、当該キットを購入した使用者自らが結露に起因する不具合を防ぎたい箇所に比較的簡便に設置できるように工夫されたものであってもよい。
【００１２】
例えば、複数の珪藻土タイルが、第１の幅を有する第１のタイル群と、第２の幅を有する第２のタイル群とを含み、第１の幅と第２の幅が互いに異なるものであってもよい。幅の異なる珪藻土タイルを適宜組み合わせて使用することで種々の幅の窓に対応できる。上述のとおり、隣接する二つの珪藻土タイルの間に隙間があってもよい構成は種々の幅の窓に対応する上で有用である。溝部が複数の支持部材によって構成されていてもよい。また、キットを購入した使用者が特別な工具を使用せずに窓の幅に合わせて支持部材の長さを調整できるように、支持部材が鋏で切断可能な材料（例えば、ポリ塩化ビニル）からなるものであってもよい。
【発明の効果】
【００１３】
本発明によれば、使用者に煩雑な作業を強いることなく、結露に起因する不具合を解消できる結露水吸収構造体及びこれ用のキットが提供される。
【図面の簡単な説明】
【００１４】
【図１】図１は、本発明の一実施形態に係る結露水吸収構造体が窓ガラスの下部に配置された状態を模式的に示す正面図である。
【図２】図２は図１に示す結露水吸収構造体の構造を模式的に示す断面図である。
【図３】図３は本発明の一実施形態に係るキットの内容物を模式的に示す平面図である。
【図４】図４は本発明に係る結露水吸収構造体の他の実施形態を模式的に示す断面図である。
【発明を実施するための形態】
【００１５】
図面を参照しながら、本発明の実施形態について詳細に説明する。なお、以下の説明において、同一要素又は同一機能を有する要素には同一符号を用いることとし、重複する説明は省略する。
【００１６】
図１は本実施形態に係る結露水吸収構造体が引き違い窓Ｗの下枠Ｓの上方に設置された状態を模式的に示す正面図である。引き違い窓Ｗの下部は、結露によって窓ガラスの表面Ｆに生じた水が流れ落ちる箇所である。引き違い窓Ｗは左右の窓Ｗ１，Ｗ２によって構成され、引き違い窓Ｗを開くと、窓Ｗ１，Ｗ２が重なった状態となり、室内から見て左側の窓Ｗ１が外側に配置され、右側の窓Ｗ２が室内側に配置される。図２は図１に示すＩＩ−ＩＩ線における断面図である。図１，２に示すとおり、窓Ｗ１，Ｗ２にそれぞれ一つの結露水吸収構造体１０が設置されている。結露水吸収構造体１０は、複数の珪藻土タイル１，２と、珪藻土タイル１，２を支持するための支持部材５とによって構成されている。支持部材５は窓ガラスの表面Ｆに両面テープ７（厚さ０．８ｍｍ程度）で接着されている。結露水吸収構造体１０を引き違い窓に適用する観点から、藻土タイルの厚さと、支持部材５における珪藻土タイルを接する箇所の厚さの合計は、例えば、１０ｍｍ未満である。
【００１７】
本実施形態で例示する珪藻土タイル１，２は、高さ（約５０ｍｍ）及び厚さ（約９ｍｍ）が互いに同じである一方、幅が互いに異なっている。珪藻土タイル１の幅は約２００ｍｍであり、珪藻土タイル２の幅は約１００ｍｍである。本実施形態で例示する窓Ｗ１の幅は８４０ｍｍであり、図１に示すように、２枚の珪藻土タイル１と、４枚の珪藻土タイル２とが併用されている。なお、複数の珪藻土タイル１，２の幅の合計は約８００ｍｍである。かかる構成は窓Ｗ２についても同様である。
【００１８】
珪藻土タイル１，２は、十分な吸水性を有することが好ましく、珪藻土タイルの乾燥時の質量を１００質量部とすると、８０質量部以上（より好ましくは９０質量部以上）の水を吸収できることが好ましい。珪藻土タイル１，２の水を吸収できる量（珪藻土タイルの乾燥時の質量基準）の上限値は、材料費等の観点から、例えば、１０７質量部であり、１００質量部であってもよい。かかる珪藻土タイルは、宇部興産建材株式会社から購入することができる。なお、珪藻土タイル１の質量は約７２ｇであり、珪藻土タイル２の質量は約３５ｇである。
【００１９】
支持部材５は、図２に示すように、窓ガラスの表面Ｆに接着される第１の面５ａと、珪藻土タイル１，２の底面と対面する第２の面５ｂと、珪藻土タイル１，２の表面と対面する第３の面５ｃとを有する。支持部材５は、窓ガラスの表面Ｆとともに、珪藻土タイル１，２を配置するための溝部Ｇを構成する。すなわち、溝部Ｇは、窓ガラスの表面Ｆと、支持部材５の第２の面５ｂ及び第３の面５ｃとによって構成される。本実施形態においては、第３の面５ｃの高さは約２０ｍｍである。このため、珪藻土タイル１，２の下側２０ｍｍ程度が支持部材５に覆われ、残りの高さ３０ｍｍ分の表面は露出した状態で溝部Ｇに配置されている。珪藻土タイル１，２は溝部Ｇに対して着脱自在に配置されている。
【００２０】
溝部Ｇは、窓Ｗ１、Ｗ２の窓ガラスの幅方向の全体にわたって設けられている。これにより、溝部Ｇは、珪藻土タイル１，２を支持する役割を果たす他に、樋の役割も果たす。すなわち、溝部Ｇが窓ガラスの幅方向の全体にわたって形成されていることで、下に結露水が流れ落ちることを防止する。したがって、例えば、結露水が必ずしも珪藻土タイル１，２に直接流れ落ちなくても、換言すれば、窓ガラスの横方向に隙間なく複数の珪藻土タイルを配置しなくても（図１参照）、溝部Ｇでせき止められた結露水は溝部Ｇを通じて珪藻土タイル１，２に至って吸収される。
【００２１】
上記構成の結露水吸収構造体１０によれば、夜間に生じる結露水が珪藻土タイル１，２に吸収され、結露水に起因する不具合を十分に抑制できる。また、湿度が低い昼間に珪藻土タイル１，２は水を自発的に放出するため、使用者が特別な処理を施さなくても夜間に再び十分な量の結露水を吸収できる状態となる。珪藻土タイル１，２は溝部Ｇに対して着脱自在に配置されている。これにより、珪藻土タイル１，２の洗浄又は交換を必要に応じて容易に実施できる。また、結露が発生する季節が終了したら、珪藻土タイル１，２を容易に回収することができる。なお、回収した珪藻土タイル１，２に対して洗浄及び乾燥の処置を施した後、再度必要な時期まで保管しておけばよい。
【００２２】
上記構成の結露水吸収構造体１０は、例えば、使用者がキットを購入して自分で設置できることが好ましい。以下、本実施形態に係る結露水吸収構造体用のキットについて説明する。本実施形態に係るキットは、複数の珪藻土タイルと、支持部材と、これらを収容する包装材とを備える。なお、キットは、結露水吸収構造体の設置方法及び珪藻土タイルのメンテナンス方法等が記載された説明書を更に含んでもよい。
【００２３】
図３は本実施形態に係るキットの内容物を模式的に示す平面図である。キットの内容物は以下のとおりである。
・珪藻土タイル１（幅２００ｍｍ×高さ５０ｍｍ×厚さ９ｍｍ）：４枚
・珪藻土タイル２（幅１００ｍｍ×高さ５０ｍｍ×厚さ９ｍｍ）：８枚
・珪藻土タイル３（幅５０ｍｍ×高さ５０ｍｍ×厚さ９ｍｍ）：４枚
・支持部材５（長さ４５０ｍｍ×高さ４０ｍｍ、ポリ塩化ビニル製）：４本
【００２４】
図３において、第１のタイル群Ｇ１は４つの珪藻土タイル１からなり、第２のタイル群Ｇ２は８つの珪藻土タイル２からなり、第３のタイル群Ｇ３は４つの珪藻土タイル３からなる。図３に示す内容物は一つの引き違い窓Ｗに二つの結露水吸収構造体を設置すること、すなわち、左右の窓Ｗ１，Ｗ２に一つずつの結露水吸収構造体を設置することを想定したものである。なお、図１に示す結露水吸収構造体１０では珪藻土タイル３が使用されていない。図１に示す窓Ｗ１，Ｗ２（それぞれの幅：８４０ｍｍ）と異なる幅の窓に結露水吸収構造体を設置する場合、必要に応じて珪藻土タイル３も使用すればよい。支持部材５は１本の長さが４５０ｍｍであるから、図１に示す窓Ｗ１（幅８４０ｍｍ）に適用するには、１本をそのまま使用するとともに、他の１本の長さが３９０ｍｍとなるように切断して使用すればよい。キットを購入した使用者が特別な工具を使用せずに窓の幅に合わせて支持部材５の長さを調整できるように、支持部材５は鋏で切断可能なポリ塩化ビニル製である。
【００２５】
以上、本発明の実施形態について詳細に説明したが、本発明は上記実施形態に限定されるものではない。例えば、上記実施形態においては、引き違い窓に好適に適用できる観点から、図２に示す形状の支持部材５を窓ガラスの表面Ｆに接着する態様を例示したが、引き違い窓以外の窓に適用する場合、あるいは、引き違い窓であっても窓の開閉の妨げとならない限り、図４に示すように、例えば、プレート状の支持部材６を窓の下枠Ｓの表面に接着してもよい。図４に示す結露水吸収構造体２０においては、窓ガラスの表面Ｆと、窓の下枠Ｓの上面Ｓａと、支持部材６の内面とによって溝部Ｇが構成される。
【符号の説明】
【００２６】
１，２，３…珪藻土タイル、５，６…支持部材、５ａ…第１の面、５ｂ…第２の面、５ｃ…第３の面、７…両面テープ、１０，２０…結露水吸収構造体、Ｆ…窓ガラスの表面、Ｇ…溝部、Ｇ１…第１のタイル群、Ｇ２…第２のタイル群、Ｇ３…第３のタイル群、Ｓ…窓の下枠、Ｓａ…上面、Ｗ…引き違い窓、Ｗ１，Ｗ２…窓
【図１】
2020190195.tif 000003
【図２】
2020190195.tif 000004
【図３】
2020190195.tif 000005
【図４】
2020190195.tif 000006